(57)【特許請求の範囲】
【請求項１】
（１）透光性を有する素材で形成され、障害釘が固定された遊技盤と、
（２）前記遊技盤の裏側に配置され、液晶表示視認用窓が開口されると共に、外周部において前記遊技盤の裏面と接する外周側平板部を有する裏ベースと、
（３）前記裏ベースの背後に取り付けられ、前記液晶表示視認用窓のほぼ全体を塞ぐ面積を有する液晶表示装置と、
（４）透光性を有する素材で形成され、前記遊技盤の裏側において、前記裏ベースの開口の内側に臨む様に配置されるワープルート構成部材と、
（５）透光性を有する素材で形成され、前記ワープルート構成部材によって遊技盤裏面側に誘導された遊技球を受け止めて遊技盤の裏面側で左右方向に転動させるステージと
を備えたパチンコ機であって、以下の構成を備えていることを特徴とするパチンコ機。
（２１）前記ワープルート構成部材は、遊技球を、上端側正面から取り込んだ後下方へ誘導し、下端の開放口から前記ステージ上へと放出する部材として構成されていること。
（２２）前記裏ベースには、裏面側に電飾基板を取り付けられると共に当該電飾基板の発光装置の位置に対応する貫通孔が形成され、前面側に前記貫通孔を覆うレンズ体が取り付けられる開口側平面部が、前記液晶表示視認用窓の開口側に開放された開放エッジから外周方向に広がる様に形成されていること。
（２３）前記ワープルート構成部材は、透光性の素材で、前記電飾基板の背面側を覆う様に前記裏ベースの前記開口側平面部の裏面に取り付けられる電飾基板カバーと一体に構成されていること。
（２４）前記裏ベースの開口側平面部は、前記外周側平板部に対して、前記ワープルート構成部材の前面から前記電飾基板カバーの前面までの距離から当該開口側平面部の厚さを減じた距離だけ後退させた凹部の底として形成されていること。
【請求項２】
さらに、以下の構成を備えたことを特徴とする請求項１記載のパチンコ機。
（３１）前記遊技盤の中央部には前記裏ベースの液晶表示視認用窓の内側に位置し、前記レンズ体の近傍まで開口したセンター窓が形成されると共に、該センター窓の下部に、前記ステージが形成され、前記ワープルート構成部材は、該センター窓のレンズ体側の側縁に沿って遊技盤の裏面に固定されていること。
【発明の詳細な説明】
【技術分野】
【０００１】
本発明は、遊技盤を透光性素材で形成したパチンコ機のワープルート構成部材の取り付け構造に関する。
【背景技術】
【０００２】
近年、パチンコ機の遊技盤としてアクリル板など透光性を有する素材が採用される様になってきた。そして、この遊技盤の透光性を利用して、遊技盤の裏面にワープルートを形成する提案がなされている（例えば、特許文献１〜３）。
【０００３】
特許文献１は、「図柄を表示する液晶表示パネル３の画像表示領域が、遊技に際して遊技球が移動しうる遊技領域のほぼ全域に亘って占有するように形成されているとともに、その前方に透明遊技パネル４を有するパチンコ機であって、その透明遊技パネル４の前面側のみならず、背面側、すなわち透明遊技パネル４と液晶表示パネル３との間にも遊技領域が設けられており、これらの遊技領域間を遊技球が移動できるように、透明遊技パネル４に貫通孔１４ａ〜１４ｄが形成されることを特徴とするパチンコ機」を提案している（図１６（Ａ）参照）。
【０００４】
特許文献２は、「遊技盤１８の表側遊技領域Ａに打ち出された遊技球を受け入れる受入れ口２６と、該受入れ口２６から受け入れた遊技球をベース板１９の裏側へと転動案内する誘導通路２８と、ベース板の透明部分の裏側に備えられ、誘導通路から誘導された遊技球をベース板に対して左右方向に転動案内する裏側転動部３６と、裏側転動部を転動した遊技球を表側の遊技領域へと排出する排出部５２を備え、排出部は、ベース板に穿設され、遊技球をベース板に対して左右方向に転動案内する第２転動部５３を有するパチンコ機」を提案している（図１６（Ｂ）参照）。
【特許文献１】特開２００６−１３６４０６号公報（図５）
【特許文献２】特開２００５−２７０４６９号公報（図９）
【発明の開示】
【発明が解決しようとする課題】
【０００５】
しかしながら、特許文献１のパチンコ機では、ワープルート構成部材を、遊技盤に形成された上下の貫通孔の位置に正確に取り付けないとスムーズに遊技球を誘導することができないため、部品精度及び取り付け精度を高める必要があり、組み立て作業における工数増加が懸念されるという問題がある。
【０００６】
特許文献２のパチンコ機では、ワープルート構成部材は、その上端だけを貫通孔に一致させればよいが、下端の取り付け位置の目標がないことに起因して、組み立て作業における工数増加が懸念されるという問題がある。
【０００７】
また、透明な遊技盤と大型液晶表示装置とを採用するパチンコ機では、表示ユニットの重量増大により、表示ユニットを支える遊技盤裏側の構成部材に対する補強が望まれる。
【０００８】
さらに、大型液晶表示装置による表示演出に奥行きを持たせるために、透明な遊技盤の中央に大きなセンター窓を開口する場合に、センター窓の開口縁の補強も望まれる。
【０００９】
そこで、本願は、遊技盤を透光性素材としたことによる視覚的効果を活かし、かつ、広い遊技領域を確保するために遊技盤裏面側に取り付けられるワープルート構成部材の位置合わせを容易にすることを第１の目的とし、第１の目的に加えて液晶表示ユニットを支持する裏ベースの補強をも実施することを第２の目的とし、並びに第１の目的に加えてセンター窓を形成した遊技盤の補強をも実施することを第３の目的とする。
【課題を解決するための手段】
【００１０】
上記目的を達成するためになされた本発明のパチンコ機について説明する前に、参考例としてのパチンコ機を説明する。参考例のパチンコ機は、
（１）透光性を有する素材で形成され、障害釘が固定された遊技盤と、
（２）前記遊技盤の裏側に配置され、中央に前記遊技盤の障害釘の固定された部分の少なくとも一部まで及ぶ大きさの液晶表示視認用窓が開口され、外周部において前記遊技盤の裏面と接する外周側平板部を有する裏ベースと、
（３）前記裏ベースの背後に取り付けられ、前記液晶表示視認用窓のほぼ全体を塞ぐ面積を有する液晶表示装置と、
（４）透光性を有する素材で形成され、前記遊技盤の裏側において、前記裏ベースの開口の内側に臨む様に配置されるワープルート構成部材と、
（５）透光性を有する素材で形成され、前記ワープルート構成部材によって遊技盤裏面側に誘導された遊技球を受け止めて遊技盤の裏面側で左右方向に転動させるステージと
を備えたパチンコ機であって、以下の構成を備えていることを特徴とする。
（１１）前記ワープルート構成部材は、遊技球を、上端側正面から取り込んだ後下方へ誘導し、下端の開放口から前記ステージ上へと放出する部材として構成されていること。
（１２）前記裏ベースには、裏面側に電飾基板を取り付けられると共に当該電飾基板の発光装置の位置に対応する貫通孔が形成され、前面側に前記貫通孔を覆うレンズ体が取り付けられる開口側平面部が、前記液晶表示視認用窓の開口側に開放された開放エッジから外周方向に広がる様に形成されていること。
（１３）前記ワープルート構成部材は、透光性の素材で、前記レンズ体の前記液晶表示視認用窓の開口側に当該レンズ体と一体に構成されていること。
（１４）前記裏ベースの開口側平面部は、前記外周側平板部に対して、前記ワープルート構成部材の前面から前記レンズ体の後面までの高さと同一の距離だけ後退させた凹部の底として形成されていること。
【００１１】
参考例としてのパチンコ機によれば、遊技盤を透光性を有する素材で形成し（１）、裏ベースには障害釘の固定された部分の少なくとも一部まで及ぶ大きさの液晶表示視認用窓を開口させ（２）、この窓のほぼ全体を塞ぐ面積を有する大型の液晶表示装置を裏ベースの背面に取り付け（３）、電飾による演出を行うためのレンズ体を遊技盤の背面に配置したので（１２）、液晶表示装置による演出表示の領域を障害釘の背後まで広げると共に、遊技盤前面の遊技領域を縮小することなく電飾による演出をも実行することができる。
【００１２】
また、電飾基板を裏ベースの裏面に取り付け、裏ベースに発光装置の位置に対応する貫通孔を形成すると共に、当該貫通孔が形成された部分を凹部としてレンズ体を取り付ける構成としたので（１２）、大きな液晶表示視認用窓を開口させた裏ベースの剛性を低下させることなく、遊技者に奥行きを感じさせる遊技領域を実現している。また、かかる構成により、遊技盤自体にも電飾のための開口を設ける必要がない。よって、電飾のために、遊技盤の構造を複雑にしたり、面倒な加工を要したりすることがない。加えて、遊技盤自体も電飾装置の取り付けのために剛性を落とすこともない。
【００１３】
加えて、遊技盤の裏面側で遊技球を左右方向に転動させるステージを備え、ワープルート構成部材によって遊技球を誘導する構成としたことによっても（４，５）、遊技者に奥行きの深さを感じさせることができる。
【００１４】
そして、このワープルート構成部材をレンズ体と例えば一体成形品とし（１３）、裏ベースと遊技盤との距離を、「一体成形されたワープルート構成部材及びレンズ体の高さ」に一致させたので（１４）、取り付け作業における位置決めが自然に実施できる上に、裏ベースの開口の縁と遊技盤とを連結することによる補強効果も発揮される。
【００１５】
上記目的を達成するためになされた本発明のパチンコ機は、
（１）透光性を有する素材で形成され、障害釘が固定された遊技盤と、
（２）前記遊技盤の裏側に配置され、液晶表示視認用窓が開口されると共に、外周部において前記遊技盤の裏面と接する外周側平板部を有する裏ベースと、
（３）前記裏ベースの背後に取り付けられ、前記液晶表示視認用窓のほぼ全体を塞ぐ面積を有する液晶表示装置と、
（４）透光性を有する素材で形成され、前記遊技盤の裏側において、前記裏ベースの開口の内側に臨む様に配置されるワープルート構成部材と、
（５）透光性を有する素材で形成され、前記ワープルート構成部材によって遊技盤裏面側に誘導された遊技球を受け止めて遊技盤の裏面側で左右方向に転動させるステージと
を備えたパチンコ機であって、以下の構成を備えていることを特徴とする。
（２１）前記ワープルート構成部材は、遊技球を、上端側正面から取り込んだ後下方へ誘導し、下端の開放口から前記ステージ上へと放出する部材として構成されていること。
（２２）前記裏ベースには、裏面側に電飾基板を取り付けられると共に当該電飾基板の発光装置の位置に対応する貫通孔が形成され、前面側に前記貫通孔を覆うレンズ体が取り付けられる開口側平面部が、前記液晶表示視認用窓の開口側に開放された開放エッジから外周方向に広がる様に形成されていること。
（２３）前記ワープルート構成部材は、透光性の素材で、前記電飾基板の背面側を覆う様に前記裏ベースの前記開口側平面部の裏面に取り付けられる電飾基板カバーと一体に構成されていること。
（２４）前記裏ベースの開口側平面部は、前記外周側平板部に対して、前記ワープルート構成部材の前面から前記電飾基板カバーの前面までの距離から当該開口側平面部の厚さを減じた距離だけ後退させた凹部の底として形成されていること。
【００１６】
係る構成のパチンコ機によれば、先に説明した参考例としてのパチンコ機と同様に、液晶表示装置による演出表示の領域を障害釘の背後まで広げると共に、遊技盤前面の遊技領域を縮小することなく電飾による演出をも実行することができ、大きな液晶表示視認用窓を開口させた裏ベースの剛性を低下させることなく、遊技者に奥行きを感じさせる遊技領域を実現している。また、遊技盤の裏面側で遊技球を左右方向に転動させるステージを備え、ワープルート構成部材によって遊技球を誘導する構成としたことによる奥行きの深さを感じさせる効果も発揮される。
【００１７】
そして、このワープルート構成部材を電飾基板カバーと例えば一体成形品とし（２３）、裏ベースの開口側平面部は、外周側平板部に対して、ワープルート構成部材の前面から電飾基板カバーの前面までの距離から当該開口側平面部の厚さを減じた距離だけ後退させた凹部の底として形成されているので（２４）、取り付け作業における位置決めが自然に実施できる上に、裏ベースの開口の縁と遊技盤とを連結することによる補強効果も発揮される。
【００１８】
これらの本発明のパチンコ機においは、さらに、以下の構成をも備えることができる。
（３１）前記遊技盤の中央部には前記裏ベースの液晶表示視認用窓の内側に位置し、前記レンズ体の近傍まで開口したセンター窓が形成されると共に、該センター窓の下部に、前記ステージが形成され、前記ワープルート構成部材は、該センター窓のレンズ体側の側縁に沿って遊技盤の裏面に固定されていること。
【００１９】
ワープルート構成部材の取り付け可能な範囲が狭くなるにも拘わらず、一体成形若しくは組立によって一体化されたレンズ体又は電飾基板カバーの取り付けによって自然に位置決めができ、センター窓を開口することによる奥行きの深い印象を与える効果の向上に加えて、そのセンター窓の開口縁の補強をも実現することができる。
【００２０】
他の参考例についても説明しておく。他の参考例のパチンコ機は、
（１）透光性を有する素材で形成され、障害釘が固定された遊技盤と、
（２）前記遊技盤の裏側に配置され、中央に前記遊技盤の障害釘の固定された部分の少なくとも一部まで及ぶ大きさの液晶表示視認用窓が開口され、外周部において前記遊技盤の裏面と接する外周側平板部を有する裏ベースと、
（３）前記裏ベースの背後に取り付けられ、前記液晶表示視認用窓のほぼ全体を塞ぐ面積を有する液晶表示装置と、
（４）透光性を有する素材で形成され、前記遊技盤の裏側において、前記裏ベースの開口の内側に臨む様に配置されるワープルート構成部材と、
（５）透光性を有する素材で形成され、前記ワープルート構成部材によって遊技盤裏面側に誘導された遊技球を受け止めて遊技盤の裏面側で左右方向に転動させるステージと
を備えたパチンコ機であって、以下の構成を備えていることを特徴とする。
（４１）前記ワープルート構成部材は、遊技球を、上端側正面から取り込んだ後下方へ誘導し、下端の開放口から前記ステージ上へと放出する部材として構成されていること。
（４２）前記裏ベースには、裏面側に電飾基板を取り付けられると共に当該電飾基板の発光装置の位置に対応する貫通孔が形成され、前面側に前記貫通孔を覆うレンズ体が取り付けられる開口側平面部が、前記液晶表示視認用窓の開口側に開放された開放エッジから外周方向に広がる様に形成されていること。
（４３）前記遊技盤の中央部には前記裏ベースの液晶表示視認用窓の内側に位置し、前記レンズ体の近傍まで開口したセンター窓が形成されると共に、該センター窓の下部に、前記ステージが形成され、前記ワープルート構成部材は、該センター窓のレンズ体側の側縁に沿って遊技盤の裏面に固定されていること。
【００２１】
係る構成のパチンコ機によれば、先に説明した各パチンコ機と同様に、液晶表示装置による演出表示の領域を障害釘の背後まで広げると共に、遊技盤前面の遊技領域を縮小することなく電飾による演出をも実行することができ、大きな液晶表示視認用窓を開口させた裏ベースの剛性を低下させることなく、遊技者に奥行きを感じさせる遊技領域を実現している。また、遊技盤の裏面側で遊技球を左右方向に転動させるステージを備え、ワープルート構成部材によって遊技球を誘導する構成としたことによる奥行きの深さを感じさせる効果も発揮される。
【００２２】
そして、このワープルート構成部材を上端正面から遊技球を取り込んで下端の開放口へと誘導する構成にすると共に（４１）、遊技盤にレンズ体の近傍まで開口するセンター窓を形成し、センター窓の下部にステージを形成し、ワープルート構成部材をセンター窓のレンズ体側の側縁に沿って遊技盤の裏面に固定する構成としたので（４３）、ワープルート構成部材は単体であるもののその取り付け位置の目標があるから組立が容易であると共に、奥行きの深い印象を向上させるセンター窓の開口縁の補強をも実現することができる。また、ワープルート構成部材の上端へと遊技球を入球させるための通路は、孔としてではなくセンター窓側縁に窪みを形成し、この窪みの開放側にセンター役物の外周を構成する部材若しくはワープルートの入口を構成する部材の壁を設けることで実現できるから、加工が容易となるという効果も発揮される。
【発明の効果】
【００２３】
本発明によれば、遊技盤を透光性素材としたことによる視覚的効果を活かし、かつ、広い遊技領域を確保するために遊技盤裏面側に取り付けられるワープルート構成部材の位置合わせを容易にすることができる。また、これと同時に裏ベースの液晶表示装置視認窓及び／又は遊技盤のセンター窓の縁を補強することもできる。
【発明を実施するための最良の形態】
【００２４】
以下、本発明を具体化した一実施形態のパチンコ機を図１〜図１５に基づき詳細に説明する。なお本実施形態において「左」又は「右」とは、パチンコ機の表側（前面側）から見たときの「左」又は「右」を示すものとする。
【００２５】
実施形態のパチンコ機は、図１〜図３に示す様に、遊技盤１０と、遊技盤１０の裏側に配置される裏ベース２０と、裏ベース２０の背後に取り付けられる液晶表示装置３０とを備えている。
【００２６】
遊技盤１０は、透光性の素材（例えば、アクリル樹脂）で形成され、表面側に障害釘が固定される。また、中央部にセンター窓１１が開口されると共に、スルーチャッカー取付窓１２、入賞装置取付窓１３，１４、アウト口取付窓１５も開口されている。
【００２７】
裏ベース２０は、合成樹脂で射出成形によって製造される箱枠状の本体２１と、この本体２１の裏面に固定される種々の裏面部品４１等とから構成される。本体２１は、中央に液晶表示視認用窓２２が開口され、入賞装置取付窓２３やアウト口取付窓２４も開口され、遊技盤１０とほぼ同じ形状の枠体として構成されている。しかし、遊技盤１０と全く同じ形状という訳ではなく、液晶表示視認用窓２２は、左側の部分において遊技盤１０の障害釘の固定された部分の少なくとも一部まで及ぶ大きさとされている。換言すれば、遊技盤１０のセンター窓１１は、左側の部分において、裏ベース２０の液晶表示視認用窓２２の内側に位置する大きさとされている。
【００２８】
裏ベース２０の本体２１は、図１，図５に示す様に、その外周部に、遊技盤１０の裏面と接する外周側平板部２５を有している。組み立て時には、この外周側平板部２５が遊技盤１０の裏面に接した状態でネジ止め固定される。また、裏ベース２０の裏面側には、電飾基板５０が取り付けられる。裏ベース２０の電飾基板５０が取り付けられる部分には、当該電飾基板５０の発光装置（ＬＥＤ）５１の位置に対応する貫通孔４１ａが形成されている。電飾基板５０は、この貫通孔４１ａにＬＥＤ５１が臨む様に裏から固定され、電飾基板カバー５２によって裏面保護がなされた状態で取り付けられる。
【００２９】
裏ベース２０の本体２１の左側の電飾基板５０が裏面に取り付けられる部分には、液晶表示視認用窓２２の開口側に開放された開放エッジ２６が備えられている。そして、この開放エッジ２６から外周方向に広がる開口側平板部２７が形成されている。この開口側平板部２７は、ＬＥＤ５１の光を前方へ照射する左側レンズ体ユニット６１の外周形状と対応する形状に広がっており、その前面は外周側平板部２５の前面に対して、左側レンズ体ユニット６１の前後方向に最も高い部分以上の距離だけ後退させた凹部２８ａを形成している。レンズ体ユニット６１は、この凹部２８ａに丁度よく嵌る様にして位置決めされ、固定される。なお、本体２１の下部にも、同様にして、正面から下側レンズ体ユニット６２，６３を嵌め込む凹部２８ｂ，２８ｃが形成されている。これらレンズ体ユニット６１〜６３を通して前方へ照射される光は、透光性の遊技盤１０を透過して正面から見える演出表示として作用する。なお、各凹部２８ａ，２８ｂ，２８ｃは、レンズ体ユニット６１〜６３の外周及び裏面の形状と対応し、例えば、左側レンズ体ユニット６１が嵌め込まれる左側の凹部２８ａには、レンズ体ユニット６１の右上の庇部分６１ａが当接する中間段部２７ａなども形成されている。
【００３０】
液晶表示装置３０は、図１，図２に示す様に、裏ベース２０に開口された液晶表示視認用窓２２の幅方向に全体を塞ぐ面積を有している。従って、液晶表示装置３０は、左側において、遊技盤１０の障害釘の固定された部分の背後にも、遊技盤１０を透過して見える画像表示が可能なものとなっている。この液晶表示装置３０は、裏面に制御基板ユニット７０を取り付けることのできる液晶ケース３１に収納されている。
【００３１】
遊技盤１０のセンター窓１１は、図１，図３に示す様に、左側の部分において、レンズ体６１の近傍まで開口し下部にはステージ部品（図示略）が装着される。ステージ部品は、通常のパチンコ機と同様に、遊技盤１０の裏面側まで入り込み、ワープルートを経由して来た遊技球を左右方向に転動させ、最終的に前方へ誘導するための部品である。本実施形態では、ワープルートは、遊技盤１０の裏面側に固定されるワープルート構成部材８０によって形成されている。前述の様に、遊技盤１０のセンター窓１１は、左側の部分において、裏ベース２０の液晶表示視認用窓２２よりも内側に入り込んでいるから、ワープルート構成部材８０は、液晶表示視認用窓２２の開口の内側に臨む様に設置される。
【００３２】
ワープルート構成部材８０は、図６，図７に示す様に、前面が開放されたＵ字状断面の部品として透光性の合成樹脂で射出成形された部品である。従って、上述の様に、液晶表示視認用窓２２の開口の内側に臨む様に設置されるものの、当該ワープルート構成部材８０を透かして背後の液晶表示装置３０による画像が正面から視認可能となっている。また、ワープルート通過中の遊技球は、遊技盤１０を通して視認可能となっている。
【００３３】
ワープルート構成部材８０は、下端を右方向に湾曲させた溝状の部品となっており、下端には、ステージ中央方向に向いた開放口８１が形成されている。なお、上端も右方向に湾曲されて開放されているが、この部分にはセンター役物を構成する部材等で塞がれ、遊技球が上端側からはこぼれ落ちない様に組み立てられる。
【００３４】
遊技盤１０のセンター窓１１の縁には、ワープルート構成部材８０の上端が取り付けられる位置に窪み１６が形成されている。この窪み１６の開放側にはセンター役物の外周を構成する部材若しくはワープルートの入口を構成する部材の壁が別途取り付けられる。これにより、遊技盤１０には、貫通孔を開口することなく、裏面のワープルート構成部材８０へと正面から遊技球を誘導することが可能となっている。
【００３５】
液晶ケース３１には、図１に示す様に、左側（裏から見たときの右側）の上部及び下部の側面に、外へ向かって突出する凸型係合部３２ａ，３２ｂが形成されると共に、図２に示す様に、右側（裏から見たときの左側）の上角部及び下角部の裏面に係合面３３ａ，３３ｂが備えられている。そして、裏ベース２０の外周側平板部２５の裏面には、図２，図８〜図１０に示す様に、液晶ケース３１を固定するための液晶ケース取付用裏面ユニット４２，４３Ａ，４３Ｂが取り付けられている。
【００３６】
左側（裏から見たときの右側）の液晶ケース取付用裏面ユニット４２の上部及び下部には、液晶ケース３１の各凸型係合部３２ａ，３２ｂを内側斜め後方から挿入することができる凹型係合部４２ａ，４２ｂが備えられている。また、右側（裏から見たときの左側）の液晶ケース取付用裏面ユニット４３Ａ，４３Ｂには、液晶ケース３１の各係合面３３ａ，３３ｂに対して押圧力を加える位置と押圧力を開放する位置との間で回動し得る回動レバー４３ａ，４３ｂが備えられている。
【００３７】
詳しくは、これら上下の各回動レバー４３ａ，４３ｂは、凹型係合部４２ａ，４２ｂに凸型係合部３２ａ，３２ｂを係合させると共に前方へ回動された液晶ケース３１の上面及び下面が外方向（上下方向）へ移動するのを規制する上規制部材４３ｃ及び下規制部材４３ｄを介して液晶ケース取付用裏面ユニット４３Ａ，４３Ｂに回動可能に支持されている。
【００３８】
また、裏ベース２０の左側（裏から見たときの右側）に裏面側から取り付けられる電飾基板カバー５２の裏面には、凹型係合部４２ａ，４２ｂの間に位置する左側面規制リブ４５Ａ，４５Ｂが形成されている。これら左側面規制リブ４５Ａ，４５Ｂは、外面に補強用の台形状リブ４５ａ，４５ｂが複数設けられ、全体として板枠状に構成されている。また、その内面は、凹型係合部４２ａ，４２ｂの内端面よりも内側に位置する状態とされている。
【００３９】
また、裏ベース２０には、右側（裏から見たときの左側）の液晶ケース取付用裏面ユニット４３Ａ，４３Ｂの間に、後方へ大きく突出する部分４６があり、当該部分４６にはさらに後方へ突出する様に右側面規制リブ４７が形成されている。右側面規制リブ４７は、外面に補強用の三角形状リブ４７ａが複数設けられ、全体として板枠状に構成されている。また、その内面は、凹型係合部４２ａ，４２ｂに凸型係合部３２ａ，３２ｂを係合させると共に前方へ回動される液晶ケース３１の側面が回動中には干渉せず、回動終了後には外方向へ移動するのを規制する位置とされている。なお、この右側面規制リブ４７は、後端内面が内下がりのテーパ面４７ｂとされている。
【００４０】
さらに、裏ベース２０の下部には、凹型係合部４２ａ，４２ｂに凸型係合部３２ａ，３２ｂを係合させると共に前方へ回動されている液晶ケース３１の下面のほぼ全長に渡り、下方向へ移動するのを規制する断面Ｌ字状金物４８が設置されている。
【００４１】
以上の様に構成された実施形態のパチンコ機によれば、遊技盤１０を透光性を有する素材で形成し、裏ベース２０には障害釘の固定された部分の少なくとも一部まで及ぶ大きさの液晶表示視認用窓２２を開口させ、この窓２２の全体を塞ぐ面積を有する大型の液晶表示装置３０を裏ベース２０の背面に取り付け、電飾による演出を行うためのレンズ体６１，６２，６３を遊技盤１０の背面に配置したので、液晶表示装置３０による演出表示の領域を障害釘の背後まで広げると共に、遊技盤１０の前面の遊技領域を縮小することなく電飾による演出をも実行することができる。
【００４２】
また、電飾基板５０を裏ベース２０の裏面に取り付け、裏ベース２０にＬＥＤ５１の位置に対応する貫通孔４１ａを形成すると共に、当該貫通孔４１ａが形成された部分を凹部２８ａ，２８ｂ，２８ｃとしてレンズ体６１，６２，６３を取り付ける構成としたので、大きな液晶表示視認用窓２２を開口させた裏ベース２０の本体２１の剛性を低下させることなく、遊技者に奥行きを感じさせる遊技領域を実現している。また、かかる構成により、遊技盤自体１０にも電飾のための開口を設ける必要がない。よって、電飾のために、遊技盤１０の構造を複雑にしたり、面倒な加工を要したりすることがなく、遊技盤１０も電飾装置の取り付けのために剛性を落とすことがない。
【００４３】
さらに、裏ベース２０の凹部２８ａ，２８ｂ，２８ｃにはレンズ体６１，６２，６３毎の外周形状に対応する開口側平板部２７等を備えさせ、当該凹部２８ａ，２８ｂ，２８ｃにレンズ体６１，６２，６３を嵌め込む様に取り付けることとしたので、レンズ体６１，６２，６３を取り付ける際の位置決めが容易で取り付け作業を容易にすると共に、レンズ体６１，６２，６３が開口側平板部２７等にしっかりと取り付けられることで補強材としても機能し、上述した裏ベース２０の剛性向上効果をより的確に発揮させることができる。加えて、レンズ体６１，６２，６３の取り付け状態を安定化させる。
【００４４】
また、裏ベース２０の開口側を開放エッジ２６とし、レンズ体６１を開放エッジ２６を前方から見えなくする様な外周形状とすることで、液晶表示装置３０による表示領域とレンズ体６１とを自然に一体化させることができている。
【００４５】
また、遊技盤１０の裏面側で遊技球を左右方向に転動させるステージ（図示略）を備え、前方が開放された溝状のワープルート構成部材８０によって遊技球を誘導する構成としたことによる奥行きの深さを感じさせる効果も発揮される。
【００４６】
そして、このワープルート構成部材８０を上端正面から遊技球を取り込んで下端の開放口へと誘導する構成にすると共に、遊技盤１０にレンズ体６１の近傍まで開口するセンター窓１１を形成し、センター窓１１の下部にステージ（図示略）を形成し、ワープルート構成部材８０をセンター窓１１のレンズ体６１側の側縁に沿って遊技盤１０の裏面に固定する構成としたので、ワープルート構成部材３０はその取り付け位置の目標があるから組立が容易であると共に、奥行きの深い印象を向上させるセンター窓１１の開口縁の補強をも実現することができる。また、ワープルート構成部材８０の上端へと遊技球を入球させるための通路は、孔としてではなくセンター窓１１の側縁に窪み１６を形成し、この窪み１６の開放側にセンター役物の外周を構成する部材若しくはワープルートの入口を構成する部材の壁を設けることで実現できるから、加工が容易となるという効果も発揮される。
【００４７】
加えて、裏ベース２０の液晶表示視認用窓２２の幅方向全体を塞ぐ面積を有する大型の液晶表示装置３０を裏ベース２０の背面に取り付けたので、液晶表示装置３０による演出表示の領域を障害釘の背後まで広げることができると共に、液晶表示装置３０の縁が見えてしまうということがない。
【００４８】
また、液晶表示装置３０を収容する液晶ケース３１には、図１，図２，図１１，図１２に示す様に、左側の上部及び下部の側面に外へ向かって突出する凸型係合部３２ａ，３２ｂを備えさせると共に、右側の上角部及び下角部の裏面に係合面３３ａ，３３ｂを備えさせ、裏ベース２０の外周側平板部２５の裏面には、左側の上部及び下部に液晶ケース３１の各凸型係合部３２ａ，３２ｂを内側斜め後方から挿入することができる凹型係合部４２ａ，４２ｂを備えさせると共に、右側の上角部及び下角部には液晶ケース３１の各係合面３３ａ，３３ｂに対して押圧力を加える位置と押圧力を開放する位置との間で回動し得る回動レバー４３ａ，４３ｂを備えさせたので、液晶表示装置３０を回動レバーの操作によって容易に着脱することができる。
【００４９】
さらに、液晶ケース３１の裏面には、制御基板を収容した制御基板ユニット７０を取り付ける構造としてあるので、この液晶表示装置３０の着脱と同時に制御基板も着脱することができる（図１１，図１２参照）。
【００５０】
こうして裏ベース２０の裏面に取り付けられた状態の液晶表示装置３０及び制御基板ユニット７０は、左側面規制リブ４５Ａ，４５Ｂ及び右側面規制リブ４７により、外側への移動を規制されているので、例えばパチンコ機を横に倒して保管・運搬等をする際に、重い液晶表示装置３０及び制御基板ユニット７０をしっかりと支持することができる。よって、凹型係合部４２ａ，４２ｂ側を下にした場合に凹型係合部４２ａ，４２ｂに加わる液晶表示装置３０及び制御基板ユニット７０の重量負担を緩和若しくは無くすることができ、液晶表示装置３０及び制御基板ユニット７０をしっかりと保持することができる。また、凹型係合部４２ａ，４２ｂ側を上にした場合にも、液晶表示装置３０及び制御基板ユニット７０が抜け落ちるのを防止でき、液晶表示装置３０及び制御基板ユニット７０をしっかりと保持することができる。
【００５１】
即ち、本実施形態によれば、重量の大きい大型液晶表示装置３０を採用しても、その着脱は液晶ケース３１の前後方向への回動操作と回動レバー４３ａ，４３ｂの回動操作により容易に実施できる構造であるにも拘わらず、横置きも可能で、保管・運搬を容易にすることができる。
【００５２】
また、右側面規制リブ４７を、後端内面が内下がりのテーパ面としたことにより、着脱に際しての液晶ケース３１の回動中に干渉し難くなり、また、仮に接触があったとしても回動時の誘導面として作用する。そして、各規制リブ４５Ａ，４５Ｂ，４７を、外面に補強用のリブ４５ａ，４５ｂ，４７ａが複数設けられた板枠状の構造としたので、これらが形成された部品４４，４６を全体に均一な肉厚の合成樹脂成形体で製造することができ、射出成形による成形性がよい上に、十分な強度を各規制リブ４５Ａ，４５Ｂ，４７に持たせることができる。
【００５３】
さらに、本実施形態では、各回動レバー４３ａ，４３ｂを、上規制部材４３ｃ及び下規制部材４３ｄを介して液晶ケース取付用裏面ユニット４３Ａ，４３Ｂに回動可能に支持したことにより、液晶表示装置３０が斜め傾いて装着されてしまうのを防止することができる。
【００５４】
加えて、裏ベース２０の裏面に装着された液晶ケース３１を断面Ｌ字状金物４８で下方からほぼ全長に渡って支持することができるので、遊技場に設置された状態や縦に置いた状態で保管されたりするとき、液晶表示装置３０及び制御基板ユニット７０の重量を分散して受け止めることができ、液晶表示装置３０の支持を確実にすると共に大型液晶表示装置３０と透光性の遊技盤１０とを活かした大画面表示のために裏ベース２０を幅の狭い枠構造としても、その反り防止に効果を発揮することができる。
【００５５】
次に、変形例について説明する。第１の変形例は、図１３（Ａ），（Ｂ）に示す様に、ワープルート構成部材８０が、レンズ体６１の右側（液晶表示視認用窓の開口側）に一体に成形されている。これに伴い、裏ベース２０の開口側平板部２７の前面２７ｂは、外周側平板部２５の前面２５ａ（組み立て時には遊技盤１０の裏面１０ａと一致）に対して、ワープルート構成部材８０の前面８０ａからレンズ体６１の後面６１ｂまでの高さと同一の距離だけ後退させた凹部の底として形成される。
【００５６】
この第１の変形例によれば、ワープルート構成部材８０をレンズ体６１と一体成形品とし、裏ベース２０の平板部２７の前面２７ｂと遊技盤１０の裏面１０ａとの距離を、当該一体成形品のワープルート構成部材の前面８０ａからレンズ体後面までの距離に一致させたので、取り付け作業における位置決めが自然に実施できる上に、裏ベース２０の液晶表示視認用窓２２の開口の縁と遊技盤１０のセンター窓１１の開口の縁とを連結することによる補強効果も発揮される。なお、この一体成形品は、ワープルート構成部材自体は、裏ベース２０の液晶表示視認用窓２２内に位置するので、その後端８０ｂが図１３（Ｃ）に示す様に裏ベース２０の開口側平板部の前面２７ａよりも後方に位置する部品としてしてあっても構わない。
【００５７】
第２の変形例は、図１４（Ａ），（Ｂ）に示す様に、ワープルート構成部材８０が、電飾基板カバー５２の右側（液晶表示視認用窓の開口側）に連結部８２を介して一体に成形されている。これに伴い、裏ベース２０の開口側平板部２７の前面２７ｂは、外周側平板部２５の前面２５ａ（組み立て時には遊技盤１０の裏面１０ａと一致）に対して、ワープルート構成部材８０の前面８０ａから電飾基板カバー５２の前面５２ａまでの距離から開口側平板部２７の厚さｔを減じた距離だけ後退させた凹部の底として形成される。
【００５８】
この第２の変形例によれば、ワープルート構成部材８０を電飾基板カバー５２と一体成形品とし、裏ベース２０の開口側平板部２７は、外周側平板部２５に対して、ワープルート構成部材８０の前面８０ａから電飾基板カバー５２の前面５２ａまでの距離から開口側平板部２７の厚さｔを減じた距離だけ後退させた凹部の底として形成されているので、取り付け作業における位置決めが自然に実施できる上に、裏ベース２０の液晶表示視認用窓２２の開口の縁と遊技盤１０のセンター窓１１の開口の縁とを連結することによる補強効果も発揮される。なお、ワープルート構成部材自体は、裏ベース２０の液晶表示視認用窓２２内に位置するので、その後端が図１４（Ｃ）に示す様に、後端８０ｂが裏ベース２０よりも後方に位置する部品としてして構成し、連結部８２を介さずに直接電飾基板ケース５２の側面に接触する一体構成部品としても構わない。
【００５９】
第３の変形例は、図１５に示す様に、ワープルート構成部材８０が、一体成形ではなく、電飾基板カバー５２の右側（液晶表示視認用窓の開口側）にビス止めされ、裏ベース２０の開口側平板部２７は、外周側平板部２５に対して、ワープルート構成部材８０の前面から電飾基板カバー５２の前面までの距離から開口側平板部２７の厚さを減じた距離だけ後退させた凹部の底として形成されるものである。
【００６０】
この第３の変形例も、取り付け作業における位置決めが自然に実施できる上に、裏ベース２０の開口の縁と遊技盤１０とを連結することによる補強効果が発揮される。
【００６１】
この様に、本実施形態によれば、変形例も含めて、遊技盤１０を透光性素材としたことによる視覚的効果を活かし、遊技盤１０の構造を複雑化したり強度低下を招いたりすることもなく、広い遊技領域を確保して電飾装置による演出を実施することができる。また、視覚的効果を活かし、かつ、広い遊技領域を確保するために遊技盤１０の裏面側に取り付けられるワープルート構成部材８０の位置合わせを容易にすることができると同時に裏ベース２０の液晶表示装置視認窓２２及び／又は遊技盤１０のセンター窓１１の縁を補強することができる。さらに、視覚的効果を活かすための大型液晶表示装置３０の着脱が容易で、縁が見えてしまうということなく保持を確実にすると共に、大きな開口を有する裏ベース２０の補強も実施することができる。
【００６２】
以上、発明を実施するための最良の形態としての一実施形態を説明したが、本発明は、これに限定されるものではなく、その要旨を逸脱しない範囲内における種々の変更が可能である。
【００６３】
例えば、ワープルート構造体８０は、断面Ｕ字状の溝タイプに限らず、筒タイプの部品として構成してもよい。
【００６４】
また、裏ベース２０の凹部２８ａ〜２８ｃの後退距離は、レンズ体６１〜６３の前後方向の最も高い部分の高さと同一として、レンズ体６１〜６３が高さ方向に遊技盤１０と裏ベース２０との間に嵌り込む様に構成してもよい。この場合、レンズ体６１〜６３の固定が安定する効果と共に、変形例１〜３で説明した裏ベース２０と遊技盤１０とを連結したときと同様に、裏ベース２０の液晶表示視認用窓２２や遊技盤１０のセンター窓１１の開口縁を、自由端ではなく固定端と同様にしっかりと補強された状態に近付ける効果も発揮される。
【図面の簡単な説明】
【００６５】
【図１】実施形態のパチンコ機の要部を正面方向から見た分解斜視図である。
【図２】実施形態のパチンコ機の要部を背面方向から見た分解斜視図である。
【図３】実施形態のパチンコ機の要部の正面図である。
【図４】図３のＡ−Ａ断面図である。
【図５】実施形態のパチンコ機の要部を正面方向から見た拡大分解斜視図である。
【図６】実施形態のパチンコ機の要部を正面方向から見た拡大分解斜視図である。
【図７】実施形態のパチンコ機の要部を背面方向から見た拡大斜視図である。
【図８】実施形態のパチンコ機の要部を背面方向から見た拡大斜視図である。
【図９】実施形態のパチンコ機の要部を背面方向から見た拡大斜視図である。
【図１０】実施形態のパチンコ機の要部を背面方向から見た拡大斜視図である。
【図１１】実施形態のパチンコ機の要部の背面図である。
【図１２】図１１のＢ−Ｂ断面図である。
【図１３】第１の変形例のワープルート構成部品を示し、（Ａ）は拡大斜視図、（Ｂ）は模式的断面図、（Ｃ）は変形例１の応用例の模式的断面図である。
【図１４】第２の変形例のワープルート構成部品を示し、（Ａ）は拡大斜視図、（Ｂ）は模式的断面図、（Ｃ）は変形例２の応用例の模式的断面図である。
【図１５】第３の変形例のワープルート構成部品の拡大分解斜視図である。
【図１６】従来技術の説明図である。
【符号の説明】
【００６６】
１０・・・遊技盤
３０・・・液晶表示装置
１１・・・センター窓
１２・・・スルーチャッカー取付窓
１３，１４・・・入賞装置取付窓
１５・・・アウト口取付窓
１６・・・窪み
２０・・・裏ベース
２１・・・本体
２２・・・液晶表示視認用窓
２３・・・入賞装置取付窓
２４・・・アウト口取付窓
２５・・・外周側平板部
２６・・・開放エッジ
２７・・・開口側平板部
２７ａ・・・中間段部
２８ａ〜２８ｃ・・・凹部
３１・・・液晶ケース
３２ａ，３２ｂ・・・凸型係合部
３３ａ，３３ｂ・・・係合面
４１・・・電飾基板装着用裏面ユニット
４１ａ・・・貫通孔
４２，４３Ａ，４３Ｂ・・・液晶ケース取付用裏面ユニット
４２ａ，４２ｂ・・・凹型係合部
４３ａ，４３ｂ・・・回動レバー
４３ｃ・・・上規制部材
４３ｄ・・・下規制部材
４５Ａ，４５Ｂ・・・左側面規制リブ
４５ａ，４５ｂ・・・台形状リブ
４６・・・液晶ケース右側移動規制用裏面ユニット
４７・・・右側面規制リブ
４７ａ・・・三角形状リブ
４７ｂ・・・テーパ面
４８・・・断面Ｌ字状金物
５０・・・電飾基板
５１・・・ＬＥＤ
５２・・・電飾基板カバー
６１〜６３・・・レンズ体ユニット
６１ａ・・・庇部分
７０・・・制御基板ユニット
８０・・・ワープルート構成部材
８１・・・開放口
【図１】
0005308001.tif 000002
【図２】
0005308001.tif 000003
【図３】
0005308001.tif 000004
【図４】
0005308001.tif 000005
【図５】
0005308001.tif 000006
【図６】
0005308001.tif 000007
【図７】
0005308001.tif 000008
【図８】
0005308001.tif 000009
【図９】
0005308001.tif 000010
【図１０】
0005308001.tif 000011
【図１１】
0005308001.tif 000012
【図１２】
0005308001.tif 000013
【図１３】
0005308001.tif 000014
【図１４】
0005308001.tif 000015
【図１５】
0005308001.tif 000016
【図１６】
0005308001.tif 000017